(57)【要約】【課題】フィルタ清掃用の埃集積部の着脱操作をより容易に行うことのできる空気調和機を提供する。【解決手段】本発明の一例の空気調和機は、室内側熱交換器を有する室内機と、外部から取り込まれた空気が通過するフィルタと、フィルタ上に付着した埃を集積する埃集積部（例えば、ダストボックス２２）とを備えている。埃集積部は、室内機に固定させるためのロック機構６０を有している。ロック機構６０は、操作部（例えば、操作板５３）と、係止部（例えば、ロック部材６１Ｒ・６１Ｌ）とを有している。操作部は、上下方向にスライド移動する。係止部は、操作部の上下方向のスライド移動によって、埃集積部が室内機に対して固定されている固定状態と、該固定状態が解除されている解除状態とが切り替わる。【選択図】図５
2018031561.tif 000002
【特許請求の範囲】
【請求項１】
室内側熱交換器を有する室内機と、
外部から取り込まれた空気が通過するフィルタと、
前記フィルタ上に付着した埃を集積する埃集積部と
を備えている空気調和機であって、
前記埃集積部は、前記室内機に固定させるためのロック機構を有しており、
前記ロック機構は、
上下方向にスライド移動する操作部と、
前記操作部の上下方向のスライド移動によって、前記埃集積部が前記室内機に対して固定されている固定状態と、該固定状態が解除されている解除状態とが切り替わる係止部と
を有している、空気調和機。
【請求項２】
前記係止部は、水平方向に移動し、
前記ロック機構は、前記操作部の上下方向のスライド移動を、前記係止部の水平方向の移動に変更するための動作伝達機構をさらに備えている、請求項１に記載の空気調和機。
【請求項３】
前記ロック機構は、前記操作部の上下方向の動作を誘導するガイド部をさらに備えている、請求項１または２に記載の空気調和機。
【請求項４】
前記動作伝達機構は、前記操作部のスライド面に沿って回動する、請求項２に記載の空気調和機。
【請求項５】
前記動作伝達機構の回動方向に沿った表面には、突起が設けられている、請求項４に記載の空気調和機。
【請求項６】
前記埃集積部には、前記フィルタ上に付着した埃を掻き取るブラシが設けられ、
前記フィルタのメッシュ径は、１５０μｍ以上３００μｍ以下であり、かつ、
前記ブラシを構成するブラシ毛の線径は、５０μｍ以上１００μｍ以下である、
請求項１から５の何れか１項に記載の空気調和機。
【請求項７】
前記フィルタを間に挟んで前記ブラシに対向する位置には、補助ブラシがさらに設けられており、
前記ブラシを構成するブラシ毛の撚り数よりも、前記補助ブラシを構成するブラシ毛の撚り数の方が多くなっている、請求項６に記載の空気調和機。
【請求項８】
前記フィルタは、前記埃集積部に対して移動可能に構成され、
前記フィルタの移動方向と交差する方向に延びる枠部には、両端部に、切欠きが設けられている、請求項１から７の何れか１項に記載の空気調和機。
【請求項９】
前記フィルタは、前記埃集積部に対して移動可能に構成され、
前記フィルタの移動方向と交差する方向に延びる枠部には、該枠部の長手方向に沿って薄肉部が形成されている、請求項１から７の何れか１項に記載の空気調和機。
【請求項１０】
室内側熱交換器を有する室内機と、
外部から取り込まれた空気が通過するフィルタと、
前記フィルタ上に付着した埃を集積する埃集積部と
を備えている空気調和機であって、
前記埃集積部は、前記室内機に固定させるためのロック機構を有しており、
前記ロック機構は、
回動する操作部と、
前記操作部の回動動作によって、前記埃集積部が前記室内機に対して固定されている固定状態と、該固定状態が解除されている解除状態とが切り替わる係止部と
を有しており、
前記操作部は、回動方向に対して傾斜した傾斜端部を有し、
前記係止部は、前記傾斜端部において前記操作部と接続されている、空気調和機。
【発明の詳細な説明】
【技術分野】
【０００１】
本発明は、フィルタ上に付着した埃を集積する埃集積部を備えている空気調和機に関する。
【背景技術】
【０００２】
空気調和機には、室内機の空気吸入口に、吸い込む空気に含まれている埃を除去するためのフィルタが備えられている。従来の空気調和機においては、フィルタに付着した埃の清掃は、手動によって行われていた。すなわち、人手によりフィルタを室内機から外して、手動でフィルタを清掃する必要があった。
【０００３】
しかし、室内機の設置箇所によってはフィルタを外す作業が困難であり、特に室内機が高所に設置されている場合には、フィルタの清掃は非常に手間のかかる作業である。そのため、昨今の空気調和機には、フィルタを外すことなく、装置内で自動的にフィルタを清掃する機能を備えているものもある。
【０００４】
このような自動でのフィルタ清掃機能を有している空気調和機では、フィルタから掻き取られた埃は、ダストボックス（埃集積部）内に収容される。そのため、空気調和機を使用してある程度期間が経過すると、ダストボックスには、フィルタから掻き取った埃が溜まる。このとき、使用者は、ダストボックスを空気調和機（具体的には、室内機）から一旦取り外し、内部に溜まった埃を捨て、再度ダストボックスを空気調和機に取り付ける作業を行う。
【０００５】
特許文献１には、このときのダストボックスの着脱操作の簡素化を図ることを目的として提案された空気調和機の室内機が開示されている。この室内機に備えられているダストボックスは、前記ダストボックスの上部でかつ左右側部から左右方向へ突出して設けられ、前記エアフィルタ支持枠の掛合部に着脱自在に嵌め込み可能な軸部と、前記ダストボックスの左右側部でかつ前記軸部の下方に設けられた把手部と、前記ダストボックスの上下方向の中央部に設けられ左右方向に移動自在に取付けられた帯状の固定部材と、前記固定部材に設けられ、前記エアフィルタ支持枠に設けられた孔部に挿入可能であって、前記固定部材が移動方向の一方側に位置しているときに前記孔部の周囲部分に係合してロック状態になり、前記固定部材が移動方向の他方側に位置しているときに前記ロック状態を解除する引掛け固定部と、前記固定部材に設けられ、前記ダストボックスの前面側でかつ上下方向において前記軸部と前記把持部との間に設けられた波型状のロック操作部と、を有している。そして、前記ダストボックスは、前記軸部を前記係合部に嵌め込んだ状態で前記ロック操作部が押されると、前記軸部を支点として前記ダストボックスの下端部が回動して押し込まれて前記清掃ユニット体の所定部位に係合するという構成を有している。
【先行技術文献】
【特許文献】
【０００６】
【特許文献１】特許第５９１１３１０号公報
【発明の概要】
【発明が解決しようとする課題】
【０００７】
しかしながら、特許文献１に記載されている室内機では、ダストボックスを取り付ける際に、左右両側のダストボックスを所定位置に取り付けた後に、各ダストボックスについてロック操作部を右方向または左方向に移動させる操作を行う必要がある。すなわち、各ダストボックスについて、取り付け動作およびロック操作という二段階の動作を行う必要がある。このように、空気調和機本体に対するダストボックスの着脱操作には、操作性を向上させるためのさらなる改善の余地がある。
【０００８】
そこで、本発明では、フィルタ清掃用の埃集積部の着脱操作をより容易に行うことのできる空気調和機を提供することを目的とする。
【課題を解決するための手段】
【０００９】
本発明の第一局面にかかる空気調和機は、室内側熱交換器を有する室内機と、外部から取り込まれた空気が通過するフィルタと、前記フィルタ上に付着した埃を集積する埃集積部とを備えている。前記埃集積部は、前記室内機に固定させるためのロック機構を有している。そして、前記ロック機構は、上下方向にスライド移動する操作部と、前記操作部の上下方向のスライド移動によって、前記埃集積部が前記室内機に対して固定されている固定状態と、該固定状態が解除されている解除状態とが切り替わる係止部とを有している。なお、ここで「前記埃集積部が前記室内機に対して固定されている」とは、埃集積部が室内機自体に直接固定されている場合、および、室内機内に固定配置されている構成部材（例えば、フィルタ支持体など）を介して埃集積部が室内機に間接的に固定されている場合を含む。
【００１０】
上記の本発明にかかる空気調和機では、前記係止部は、水平方向に移動し、前記ロック機構は、前記操作部の上下方向のスライド移動を、前記係止部の水平方向の移動に変更するための動作伝達機構をさらに備えていてもよい。
【００１１】
上記の本発明にかかる空気調和機において、前記ロック機構は、前記操作部の上下方向の動作を誘導するガイド部をさらに備えていてもよい。
【００１２】
上記の本発明にかかる空気調和機において、前記動作伝達機構は、前記操作部のスライド面に沿って回動してもよい。
【００１３】
上記の本発明にかかる空気調和機において、前記動作伝達機構の回動方向に沿った表面には、突起が設けられていてもよい。
【００１４】
上記の本発明にかかる空気調和機において、前記埃集積部には、前記フィルタ上に付着した埃を掻き取るブラシが設けられており、前記フィルタのメッシュ径は、１５０μｍ以上３００μｍ以下であり、かつ、前記ブラシを構成するブラシ毛の線径は、５０μｍ以上１００μｍ以下であってもよい。
【００１５】
上記の本発明にかかる空気調和機において、前記フィルタを間に挟んで前記ブラシに対向する位置には、補助ブラシがさらに設けられており、前記ブラシを構成するブラシ毛の撚り数よりも、前記補助ブラシを構成するブラシ毛の撚り数の方が多くなっていてもよい。
【００１６】
上記の本発明にかかる空気調和機において、前記フィルタは、前記埃集積部に対して移動可能に構成され、前記フィルタの移動方向と交差する方向に延びる枠部には、両端部に、切欠きが設けられていてもよい。
【００１７】
上記の本発明にかかる空気調和機において、前記フィルタは、前記埃集積部に対して移動可能に構成され、前記フィルタの移動方向と交差する方向に延びる枠部には、該枠部の長手方向に沿って薄肉部が形成されていてもよい。
【００１８】
本発明の別の局面にかかる空気調和機は、室内側熱交換器を有する室内機と、外部から取り込まれた空気が通過するフィルタと、前記フィルタ上に付着した埃を集積する埃集積部とを備えている。前記埃集積部は、前記室内機に固定させるためのロック機構を有している。前記ロック機構は、回動する操作部と、前記操作部の回動動作によって、前記埃集積部が前記室内機に対して固定されている固定状態と、該固定状態が解除されている解除状態とが切り替わる係止部とを有している。また、前記操作部は、回動方向に対して傾斜した傾斜端部を有し、前記係止部は、前記傾斜端部において前記操作部と接続されている。そして、この空気調和機において、前記係止部は、前記傾斜端部において前記操作部と接続されており、前記傾斜端部に対する位置を変更させることで、前記固定状態と前記解除状態とが切り替わってもよい。なお、ここで「前記埃集積部が前記室内機に対して固定されている」とは、埃集積部が室内機自体に直接固定されている場合、および、室内機内に固定配置されている構成部材（例えば、フィルタ支持体など）を介して埃集積部が室内機に間接的に固定されている場合を含む。
【発明の効果】
【００１９】
以上のように、本発明にかかる空気調和機は、フィルタ清掃用の埃集積部の着脱操作をより容易に行うことが可能となる。
【図面の簡単な説明】
【００２０】
【図１】本発明の一実施形態にかかる空気調和機の室内機の外観を示す斜視図である。
【図２】図１に示す室内機の内部構成を示す断面図である。
【図３】図１に示す室内機に備えられたフィルタ及びフィルタ清掃装置を示す斜視図である。
【図４】図３に示すフィルタ清掃装置において、ダストボックスの一つを取り外した状態を示す斜視図である。
【図５】（ａ）および（ｂ）は、本発明の第１の実施形態にかかるフィルタ清掃装置の内部構成を示す斜視図である。（ａ）は、ロック機構がＯＮ状態（固定状態）の場合を示す。（ｂ）は、ロック機構がＯＦＦ状態（解除状態）の場合を示す。
【図６】（ａ）は、図５（ａ）の破線枠の部分を拡大して示す斜視図である。（ｂ）は、図５（ｂ）の破線枠の部分を拡大して示す斜視図である。
【図７】第１の実施形態にかかるダストボックスに備えられた前面カバーを背面側から見た斜視図である。
【図８】第１の実施形態にかかるフィルタ清掃装置に備えられたダストボックスの本体部を前面側から見た斜視図である。
【図９】（ａ）は、第１の実施形態にかかるフィルタ清掃装置に備えられた操作板を前面側から見た斜視図である。（ｂ）は、第１の実施形態にかかるフィルタ清掃装置に備えられた操作板を背面側から見た斜視図である。
【図１０】（ａ）は、第１の実施形態にかかるフィルタ清掃装置に備えられた左側の回動板を示す斜視図である。（ｂ）は、第１の実施形態にかかるフィルタ清掃装置に備えられた右側の回動板を示す斜視図である。
【図１１】（ａ）は、第１の実施形態にかかるダストボックスに備えられた右側のロック部材を示す斜視図である。（ｂ）は、第１の実施形態にかかるフィルタ清掃装置に備えられた左側のロック部材を示す斜視図である。
【図１２】（ａ）から（ｃ）は、前面カバーに操作板を取り付けた状態を示す斜視図である。（ａ）から（ｃ）には、ロック機構がＯＮ状態（固定状態）からＯＦＦ状態（解除状態）に切り替わる場合の操作板の一連の動作を示す。
【図１３】（ａ）は、第１の実施形態にかかるフィルタ清掃装置に備えられた前面ブラシおよび背面ブラシの構成を示す断面模式図である。（ｂ）は、フィルタ清掃装置に備えられたフィルタのメッシュ径を示す模式図である。（ｃ）は、ブラシを構成するブラシ毛の線径を説明するための模式図である。
【図１４】（ａ）は、第１の実施形態にかかるフィルタ清掃装置に備えられたフィルタの移動方向側の一端部の構成を示す平面図である。（ｂ）から（ｄ）は、変形例にかかるフィルタの移動方向側の一端部の構成を示す平面図である。（ｅ）は、（ｄ）に示すフィルタのＡ−Ａ線部分の断面構成を示す模式図である。
【図１５】本発明の第２の実施形態にかかる空気調和機の室内機に備えられたフィルタ及びフィルタ清掃装置を示す斜視図である。図１５では、ダストボックスの一つを取り外した状態を示す。
【図１６】（ａ）および（ｂ）は、本発明の第２の実施形態にかかるフィルタ清掃装置の内部構成を示す斜視図である。（ａ）は、ロック機構がＯＮ状態（固定状態）の場合を示す。（ｂ）は、ロック機構がＯＦＦ状態（解除状態）の場合を示す。
【図１７】（ａ）は、図１６（ａ）の破線枠の部分を拡大して示す斜視図である。（ｂ）は、図１６（ｂ）の破線枠の部分を拡大して示す斜視図である。
【図１８】（ａ）は、第２の実施形態にかかるフィルタ清掃装置に備えられた操作レバーおよび左側のロック部材を示す斜視図である。（ｂ）は、操作レバーを示す斜視図である。（ｃ）は、ロック部材を示す斜視図である。
【図１９】本発明の第３の実施形態にかかる空気調和機に備えられたフィルタ清掃装置のロック機構の構成を示す斜視図である。
【図２０】図１９に示すフィルタ清掃装置のロック機構の動作を示す図である。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
〔第１の実施形態〕
【００２２】
第１の実施形態では、フィルタを自動で清掃するためのフィルタ清掃機能（フィルタ清掃装置とも呼ぶ）を内蔵している空気調和機を例に挙げて説明する。図１は、本実施の形態に係る空気調和機の室内機１の外観構成を示す。図２は、室内機１の内部構成を示す。
【００２３】
＜空気調和機の全体構成＞
先ず、本実施の形態にかかる空気調和機の全体構成について説明する。本実施の形態にかかる空気調和機は、セパレート式の空気調和機であって、主として、室内機１と室外機（図示せず）とから構成されている。
【００２４】
室外機には、圧縮機、室外側熱交換器、四方弁、室外ファンなどが備えられている。これらと室内機１側に備えられた室内側熱交換器３１とによって冷凍サイクルが形成される。
【００２５】
次に、室内機１の構成について、図１及び図２を用いて説明する。図１に示すように、室内機１は、略直方体状の形状を有しており、通常、部屋の壁の上部に掛けられて使用される。上述したように、室内機１内には室内側熱交換器３１が備えられている。この室内側熱交換器３１は、冷媒配管（図示せず）を介して室外機側の圧縮機などと接続されている。これにより、この室内機１と室外機とは、冷凍サイクルを構成し、その結果、空気調和機として機能する。なお、冷凍サイクルを制御する制御部は、室内機１内の電装品ユニットに設けられる。
【００２６】
図２に示すように、室内機１は、主として、筐体１０、フィルタ清掃装置２０、フィルタ２１、空気調和ユニット３０、および電装品ユニット（図示せず）を備えている。以下、これらの各構成部材についてそれぞれ詳述する。
【００２７】
筐体１０は、略直方体状の樹脂成形品である。図１に示すように、筐体１０は、主として、前面パネル１１、本体パネル１２、および背面パネル１３で構成されている。筐体１０の内部には、フィルタ清掃装置２０、フィルタ２１、空気調和ユニット３０、および電装品ユニットなどが収容されている。
【００２８】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、この上下方向に交差または直交する方向のことを、水平方向または左右方向という。
【００２９】
筐体１０の上面には、吸込み口１４が設けられている。この吸込み口１４から、室内機１が設置されている室内の空気が室内機１内に取り込まれる。そして、図２に示すように、この吸込み口１４の真下には、フィルタ２１が配置されている。
【００３０】
また、本体パネル１２の下部には、吸込み口から吸いこんだ空気を送出する吹出口が設けられており、吹出口にフラップ１５が開閉可能に設けられている。フラップ１５には、駆動モータ（図示せず）が連結されている。駆動モータは、信号線を介して電装品ユニットに通信接続されており、空気調和機の運転中、電装品ユニット内の制御部からの制御信号に従ってフラップ１５の回動角度を調節する。
【００３１】
例えば、冷房運転時には、電装品ユニット内の制御部はフラップ１５を開け、フラップ１５が冷風を斜め上方向に導き、冷風が天井に沿って吹き出すように、フラップ１５の回動角度を調節する。暖房運転時には、電装品ユニット内の制御部はフラップ１５を開け、フラップ１５が前方に向かって吹き出される温風を押さえ込み、温風を床面方向に導くように、フラップ１５の回動角度を調節する。なお、冷房運転の初期時には、冷風が床面方向に吹き出されるようにフラップ１５の回動角度を調節し、急速冷房を行ってもよい。また、フラップ１５は、運転停止時には閉状態となって、吹出し口を閉じる。
【００３２】
空気調和ユニット３０は、図２に示すように、主として、室内側熱交換器３１、およびクロスフローファン３２を備えている。
【００３３】
室内側熱交換器３１は、複数の熱交換器を、クロスフローファン３２を覆う屋根のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。
【００３４】
クロスフローファン３２は、駆動モータ（図示せず）に連結されている。そして、クロスフローファン３２は、空気調和機の運転中、その駆動モータによって回転駆動され、室内の空気を筐体１０に吸い込んで室内側熱交換器３１に供給すると共に、室内側熱交換器３１で熱交換された空気を室内に送出する。なお、駆動モータは、信号線を介して電装品ユニットに通信接続されており、電装品ユニット内の制御部から送信される制御信号に従って動作する。
【００３５】
電装品ユニットは、例えば、筐体１０内の右側端部に配置される。電装品ユニットは、中央処理演算部（制御部）、信号送受信部などで構成されている。電装品ユニットは、信号線を介して、冷凍サイクルの各構成部材と接続されている。そして、電装ユニット内の制御部は、使用者の指示、および室温や外気温を検出する温度センサ等の各種のセンサの検出信号に基づいて、冷凍サイクルを制御し、冷房運転および暖房運転を行う。
【００３６】
また、電装品ユニットは、信号線を介して、クロスフローファン３２の駆動モータ、フラップ１５の駆動モータ、フィルタ清掃装置２０の駆動モータ、フィルタ清掃装置２０内の各部材の電源部などとも接続されている。
【００３７】
フィルタ２１は、吸込み口１４と室内側熱交換器３１との間に設けられている。説明の便宜上、吸込み口１４と対向しているフィルタ２１の面を表面とし、室内側熱交換器３１と対向しているフィルタ２１の面をフィルタの裏面とする。図２に示すように、フィルタ２１は、筐体１０に設けられた吸込み口１４の形状に沿うように配置されている。フィルタ２１は、吸込み口１４から室内機１の内部に取り込まれる空気に含まれる埃や塵を捕捉する。これにより、室内機１の内部に取り込まれる空気中の埃や塵の量を減らすことができる。
【００３８】
本実施形態にかかる室内機１には、２つのフィルタ２１が、左右に並んで配置されている（図３参照）。右側および左側のフィルタをそれぞれ区別して説明する場合には、左側フィルタを２１Ｌとし、右側フィルタを２１Ｒとする。なお、本発明の空気調和機におけるフィルタの個数及び配置は、これに限定はされない。例えば、吸込み口１４の全領域をカバーするような１枚のフィルタで構成してもよい。
【００３９】
フィルタ清掃装置２０は、フィルタ２１上に付着した埃や塵などを除去する装置である。フィルタ清掃装置２０には、矩形の板状を有するフィルタ２１が、フィルタ清掃装置２０の形状に沿うように取り付けられている。フィルタ清掃装置２０には、フィルタ２１上に付着した埃、塵、ゴミなどを収容するダストボックス２２（埃集積部）が備えられている。ダストボックス２２は、各フィルタ２１に対してそれぞれ設けられている。すなわち、本実施形態の室内機１には、右側のフィルタ２１Ｒと左側のフィルタ２１Ｌのそれぞれに対して、ダストボックス２２が１個ずつ設けられている。なお、左右のダストボックスを区別して称する場合には、右側ダストボックスを２２Ｒとし、左側ダストボックスを２２Ｌと呼ぶ（図３参照）。
【００４０】
＜フィルタ清掃装置について＞
続いて、室内機１に備えられているフィルタ２１およびフィルタ清掃装置２０のより具体的な構成について、図３から図６を参照しながら説明する。
【００４１】
図３に示すように、フィルタ清掃装置２０は、主として、フィルタ２１の前面側に配置されている。空気調和機が空調運転を行っている状態では、図２および図４に示すように、フィルタ２１は、その前方側の端部部分のみがフィルタ清掃装置２０と重なるような位置関係で配置されている。そして、フィルタ清掃装置２０によってフィルタ２１の清掃が行われる際には、フィルタ２１は駆動モータ２４Ｍによって駆動されて移動し、フィルタ２１の表面全体がフィルタ清掃装置２０の前面ブラシ２３上を通過するように構成されている。
【００４２】
フィルタ２１は、メッシュ部４１と、メッシュ部４１の周囲を取り囲む枠体（枠部）４２とで構成されている。枠体４２は、縦方向（移動方向に平行な方向）の枠部分である縦枠と、横方向（移動方向に交差する方向）の枠部分である横枠とからなる。フィルタ２１は、後述するフィルタ支持体２５に着脱可能に支持されている。
【００４３】
メッシュ部４１は、例えば、ポリエチレンテレフタレートで網目状に形成され、枠体４２は、例えば、ポリプロピレン樹脂などの構成樹脂で形成される。またあるいは、メッシュ部４１と枠体４２とは、ポリプロピレン樹脂等の合成樹脂により一体的に成形されてもよい。
【００４４】
また、枠体４２は、複数のリブ４３を有している。各リブ４３は、枠体４２の内部を縦または横に略等間隔に延びており、これにより、メッシュ部４１の表面は碁盤目状に区画される。この構成により、フィルタ２１の強度が高まる。
【００４５】
リブ４３は、フィルタ２１の裏面側に配置されることが好ましい。これにより、メッシュ部４１の表面を、略面一とすることができる。フィルタ２１の表面が略面一であることによって、フィルタ２１の表面に付着した埃や塵などを、フィルタ清掃装置２０によってより容易に取り除くことができる。
【００４６】
また、一例では、枠体４２の縦方向（移動方向に平行な方向）の枠部分（縦枠）の裏面側に、複数のラック４２ａ（図１４（ａ）など参照）が形成されていてもよい。このようなラック４２ａは、フィルタ２１の移動を駆動する背面ブラシ２４の端部に設けられたピニオンギアと噛み合う。そして、駆動モータ２４Ｍによってピニオンギアを回転駆動すると、これに連動して、フィルタ２１がフィルタ支持体２５のガイド２５ａ（図２参照）に沿って移動する。すなわち、駆動モータ２４Ｍによって背面ブラシ２４が回転駆動されると、フィルタ２１がフィルタ支持体２５のガイド２５ａに沿って、室内機１内を前後方向に移動するとともに、室内機１内を上下方向に移動する。
【００４７】
フィルタ清掃装置２０は、主な構成部材として、ダストボックス２２、前面ブラシ（ブラシ）２３、背面ブラシ（補助ブラシ）２４、およびフィルタ支持体２５を備えている。本実施形態では、フィルタ清掃装置２０は、フィルタ２１の左右方向（水平方向）に沿って、フィルタ２１の一端部から他端部に延びるように配置されている（図３参照）。
【００４８】
ダストボックス２２は、主な構成部材として、本体部５１、前面カバー５２、およびロック機構６０（操作板５３を含む）などを備えている。ダストボックス２２は、前面ブラシ２３によってフィルタ２１表面から拭き取られた埃、塵、ゴミなどを、その内部に集積させる。
【００４９】
本体部５１は、概略的には、直方体状の箱型形状を有する部材である。本体部５１は、例えば、剛性を有する合成樹脂（プラスチック）で形成される。本体部５１の背面側には、本体部５１の箱型部の開口部分に沿って、前面ブラシ２３が配置されている。これにより、前面ブラシ２３によって掻き取られたフィルタ２１表面の埃などが、本体部５１の箱型部内に落とされるような構成となる（図１３（ａ）参照）。
【００５０】
前面カバー５２は、ダストボックス２２の前面側の上方部に取り付けられている。前面カバー５２の裏側には、ロック機構６０が配置されている。
【００５１】
ロック機構６０は、ダストボックス２２を室内機１に対して固定させるための機構である。本実施形態では、ロック機構６０は、フィルタ支持体２５に対してダストボックス２２を固定させる。フィルタ支持体２５は、室内機１内に固定した状態で取り付けられている。但し、本発明の他の態様においては、ロック機構６０は、室内機１に対してダストボックス２２を直接固定させてもよい。なお、操作板（操作部）５３は、ロック機構６０を構成する一部材である。ロック機構６０のより具体的な構成については、後述する。
【００５２】
前面ブラシ２３は、細長い円筒形状（円柱形状）を有している。前面ブラシ２３は、ダストボックス２２の左右方向（水平方向）に沿って、各ダストボックス２２（２２Ｒおよび２２Ｌ）の一端部から他端部に延びるように配置されている。
【００５３】
前面ブラシ２３は、その先端（または表面）がフィルタ２１の表面と接触するように配置され、フィルタ２１上に付着した埃Ｄを掻き取る（図１３（ａ）参照）。前面ブラシ２３は、例えば、適度な剛性を有する繊維（例えば、ナイロンなどの合成繊維、動物毛などの天然繊維）を複数本束ねて得られるブラシ毛２３ａ（図１３（ｃ）参照）、パイル状に起毛させた繊維（例えば、ナイロンなどの合成繊維、動物毛などの天然繊維）などで形成することができる。
【００５４】
また、前面ブラシ２３は、内部に回転するローラを有している。このローラは、駆動モータ２３Ｍによって駆動される。駆動モータ２３Ｍは、正転のみ可能なモータであって、清掃運転中、前面ブラシ２３を回転させ続ける。
【００５５】
背面ブラシ２４は、フィルタ２１を間に挟んで、前面ブラシ２３と対向する位置に配置されている（図１３（ａ）参照）。前面ブラシ２３と同様に、背面ブラシ２４も細長い円筒形状（円柱形状）を有している。背面ブラシ２４は、フィルタ２１の左右方向（水平方向）に沿って、フィルタ２１の一端部から他端部に延びるように配置されている。
【００５６】
また、背面ブラシ２４は、内部に回転するローラを有している。このローラは、駆動モータ２４Ｍによって駆動される。なお、背面ブラシ２４は、フィルタ清掃時に、フィルタ２１の移動動作を駆動するフィルタ駆動ローラとして機能する。背面ブラシ２４は、長手方向の両端部に、ピニオンギアを有している。このピニオンギアは、フィルタ２１の枠体４２に設けられたラック４２ａと噛み合う。そして、駆動モータ２４Ｍによって背面ブラシ２４が回転駆動されると、ピニオンギアの回転に合わせてラック４２ａが上下および前後方向に送られ、フィルタ２１が上下および前後に移動する。
【００５７】
本実施形態では、背面ブラシ２４の表面には、適度な剛性を有する繊維（例えば、ナイロンなどの合成繊維、動物毛などの天然繊維）を複数本束ねて得られるブラシ毛が埋め込まれている（図１３（ａ）参照）。背面ブラシ２４の表面のブラシ毛は、フィルタ２１の裏面と接触するように配置されている。そして、駆動モータ２４Ｍによって、清掃運転中、背面ブラシ２４は回転駆動される。これにより、２つのブラシ２３・２４の間に配置されたフィルタ２１では、裏面側の背面ブラシ２４の作用によって、表面に付着している埃や塵などが、前方側へ押し出される。そのため、前面ブラシ２３によるフィルタ２１表面上での回転動作により、フィルタ２１上にある程度強力に付着している埃も掻き取ることができる。
【００５８】
なお、本実施形態では、上記のようにフィルタ２１の裏面側に配置する回転ローラとして、背面ブラシ２４を用いている。しかし、本発明の一態様においては、フィルタ２１の裏面側に配置する回転ローラの表面にブラシが設けられていなくてもよい。
【００５９】
駆動モータ２４Ｍは、正転・逆転切り換え可能なモータであって、上述の通り、背面ブラシ２４を回転させることによって、フィルタ２１をフィルタ支持体２５のガイド２５ａに沿って移動させる。なお、具体的には、駆動モータ２４Ｍが正転されると、フィルタ２１は、ガイド２５ａに沿って前方および下方に移動する。その結果、フィルタ２１上に堆積している塵埃が下から順に前面ブラシ２３によってダストボックス２２の本体部５１内に掻き落とされる。一方、駆動モータ２４Ｍが逆転されると、フィルタ２１は、ガイド２５ａに沿って後方および上方に移動する。その結果、清掃済みのフィルタ２１が規定の位置に戻される。
【００６０】
フィルタ支持体２５は、フィルタ２１を支持している。フィルタ支持体２５には、フィルタ清掃時に、フィルタ２１の移動を案内するガイド２５ａが備えられている。ガイド２５ａは、駆動モータ２４Ｍによってフィルタ２１を移動させる際において、フィルタ２１を規定の方向に沿って移動させるために形成されている。
【００６１】
また、フィルタ支持体２５は、右側壁部２６、中央壁部２７、および左側壁部２８を有している。
【００６２】
右側壁部２６は、フィルタ支持体２５の右側縁部において前後方向に延びる側壁である。この右側壁部２６の左側すなわち内側には、ガイド２５ａが配置されている。また、図３に示すように、右側壁部２６には、駆動モータ２３Ｍ、右側のフィルタ２１Ｒの移動を駆動する駆動モータ２４Ｍ、およびその他のフィルタ清掃装置駆動用の部材を搭載した駆動ユニット５０が設けられている。さらに、右側壁部２６には、ダストボックス２２Ｒのロック機構６０のロック部材（係止部）６１Ｒ（より具体的には、ロックピン６２）を受け入れ可能な孔（図示せず）が形成されている。
【００６３】
左側壁部２８は、フィルタ支持体２５の左側縁部において前後方向に延びる側壁である。この左側壁部２８の右側すなわち内側には、ガイド２５ａが配置されている。また、図示はしていないが、左側壁部２８には、左側のフィルタ２１Ｌの移動を駆動する駆動モータ２４Ｍ、およびその他のフィルタ駆動用の部材を搭載した駆動ユニットが設けられている。なお、左側のダストボックス２２Ｌに配置される前面ブラシ２３の回転駆動は、右側壁部２６に設けられた駆動ユニット５０内の駆動モータ２３Ｍによって駆動される。この場合、駆動モータ２３Ｍの回転力は、右側のダストボックス２２Ｒに配置される前面ブラシ２３から、駆動ギアを介して、左側のダストボックス２２Ｌに配置される前面ブラシ２３に伝達される。さらに、左側壁部２８には、ダストボックス２２Ｌのロック機構６０のロック部材（係止部）６１Ｌ（より具体的には、ロックピン６２）を受け入れ可能な孔（図示せず）が形成されている。
【００６４】
中央壁部２７は、フィルタ支持体２５の左右方向の略中央部において前後方向に延びる壁部である。そして、この中央壁部２７の両側には、ガイド２５ａがそれぞれ配置されている。なお、これらのガイド２５ａは、左側壁部２８のガイド２５ａおよび右側壁部２６のガイド２５ａと同一の形状を呈している。そして、左側のガイド２５ａは左側壁部２８のガイド２５ａと互いに対向し、右側のガイド２５ａは右側壁部２６のガイド２５ａと互いに対向している。すなわち、２つのフィルタ２１Ｒ・２１Ｌのうち一方（２１Ｌ）は中央壁部２７の左側のガイド２５ａと左側壁部２８のガイド２５ａとによって案内され、他方（２１Ｒ）は中央壁部２７の右側のガイド２５ａと右側壁部２６のガイド２５ａとによって案内されることになる。さらに、中央壁部２７の左右両側の側面には、ダストボックス２２Ｒおよびダストボックス２２Ｌのロック機構６０のロック部材（係止部）６１Ｌ・６１Ｒ（より具体的には、ロックピン６２）をそれぞれ受け入れ可能な孔（図示せず）が形成されている。
【００６５】
また、フィルタ支持体２５には、その前面側の下部に、ダストボックス２２を載置するためのダストボックス収容部２９が設けられている。ダストボックス収容部２９は、右側壁部２６と中央壁部２７との間、および、左側壁部２８と中央壁部２７との間にそれぞれ設けられている。右側壁部２６と中央壁部２７との間のダストボックス収容部２９には、ダストボックス２２Ｒが載置され、左側壁部２８と中央壁部２７との間のダストボックス収容部２９には、ダストボックス２２Ｌが載置される。
【００６６】
図４に示すように、ダストボックス収容部２９は、底面板５４を有している。そして、底面板５４には、切欠き５４ａおよび複数の爪部５４ｂが形成されている。底面板５４は、ダストボックス２２の底部を支持する。
【００６７】
切欠き５４ａは、各ダストボックス２２Ｒ・２２Ｌが載置された場合に、各ダストボックス２２Ｒ・２２Ｌの左右方向の中央部に相当する位置にそれぞれ形成されている。このような切欠き５４ａが形成されていることで、ダストボックス２２がダストボックス収容部２９に装着されたときに、ダストボックス２２の底面の一部を下方から見て露出させた状態とすることができる。
【００６８】
爪部５４ｂは、底面板５４の上面から上方に僅かに突起する矩形の突起部分である。爪部５４ｂは、各切欠き５４ａの両脇に配設されている。なお、爪部５４ｂが設けられていることで、ダストボックス２２を保持し、落下等を抑えることができる。
【００６９】
＜ダストボックスおよびロック機構の構成＞
続いて、ダストボックス２２のより具体的な構成、および、ダストボックス２２をフィルタ支持体２５に対して固定するためのロック機構６０の構成について、図５から図１２を参照しながら説明する。
【００７０】
上述したように、ダストボックス２２は、主な構成部材として、本体部５１、前面カバー５２、およびロック機構６０などを備えている。図７には、前面カバー５２の裏面側の構成を示す。図８には、本体部５１の構成を示す。
【００７１】
図７に示すように、前面カバー５２の裏面側には、操作板支持部７１、凸部（ガイド部）７２Ｒ・７２Ｌ、並びに、回動補助突起（突起）７３Ｒ・７３Ｌおよび７４Ｒ・７４Ｌなどが形成されている。操作板支持部７１は、前面カバー５２の左右方向の略中央部に位置する。操作板支持部７１には、ロック機構６０の操作板５３が挿入される。凸部７２Ｒ・７２Ｌは、操作板５３の配置位置（より具体的には、操作板５３のガイド穴５３ｂ）に合わせて形成されている。２つの凸部７２Ｒ・７２Ｌは、左右方向に並んで配置されている。回動補助突起（突起）７３Ｒ・７３Ｌは、回動板６４Ｒ・６４Ｌの回動軌跡（より具体的には、回動板６４Ｒ・６４Ｌの第２端部６５ｂ側の回動軌跡）に沿ってそれぞれ配置されている。回動補助突起（突起）７４Ｒ・７４Ｌは、回動板６４Ｒ・６４Ｌの回動軌跡（より具体的には、回動板６４Ｒ・６４Ｌの第１端部６５ａ側の回動軌跡）に沿ってそれぞれ配置されている。
【００７２】
図８に示すように、本体部５１の前面カバー５２との対向面には、ロック機構６０を収容する空間５１Ｐが形成されている。また、本体部５１の下端部の左右方向の略中央には、凹み５１ａが形成されている。凹み５１ａは、ダストボックス収容部２９の底面板５４に形成された切欠き５４ａに対応する位置に形成されている。この凹み５１ａは、使用者がダストボックス２２をフィルタ支持体２５から取り外す際に、把持部として機能する。
【００７３】
また、本体部５１の左右両側の側壁には、ロックピン６２が貫通する貫通孔７６ａ、および、前面ブラシ２３が設置される前面ブラシ支持部７９が形成されている。また、空間５１Ｐ内の前面カバー５２との対向面には、複数のシャフトガイド部材７６ｂ・７６ｃ・７６ｄ、回動板ガイド部材７７ａ・７７ｂ、および回動軸７８などが設けられている。シャフトガイド部材７６ｂ・７６ｃ・７６ｄは、水平方向に移動するロック部材６１Ｒ・６１Ｌの移動を案内する。回動板ガイド部材７７ａ・７７ｂは、回動板６４Ｒ・６４Ｌの回動動作を補助する。回動軸７８には、回動板６４Ｒ・６４Ｌの回動中心６４Ｐが取り付けられる。シャフトガイド部材７６ｂ・７６ｃ・７６ｄ、回動板ガイド部材７７ａ・７７ｂ、および回動軸７８は、操作板５３の左右両側に設けられるロック部材６１Ｒ・６１Ｌおよび回動板６４Ｒ・６４Ｌに対応して、左右両側に左右対称に設けられている。
【００７４】
ロック機構６０は、ダストボックス２２を構成する本体部５１の上方部分であって、前面カバー５２の背面側に配置されている。図５（ａ）および図５（ｂ）には、前面カバー５２を取り外した状態の本体部５１の構成を示す。図５（ａ）は、ダストボックス２２がフィルタ支持体２５に対して固定されている固定状態のときのロック機構６０を示す。また、図５（ｂ）は、固定状態が解除されている解除状態（すなわち、ダストボックス２２をフィルタ支持体２５から取り外すときの状態）のときのロック機構６０を示す。
【００７５】
図５（ａ）などに示すように、ロック機構６０は、主な構成部材として、操作板５３、ロック部材（係止部）６１Ｒ・６１Ｌ、回動板（動作伝達機構）６４Ｒ・６４Ｌ、およびコイルバネ６３などを備えている。図９（ａ）（ｂ）には、操作板５３を示す。図１０（ａ）には、左側の回動板６４Ｌを示し、図１０（ｂ）には、右側の回動板６４Ｒを示す。図１１（ａ）には、右側のロック部材６１Ｒを示し、図１１（ｂ）には、左側のロック部材６１Ｌを示す。
【００７６】
操作板５３は、上下方向（例えば、図６（ａ）に示す矢印Ｓ１方向）にスライド移動する。図９（ａ）には、操作板５３を前面カバー５２側から見た状態を示す。図９（ｂ）には、操作板５３を本体部５１側から見た状態を示す。操作板５３は、押圧部５３ａ、ガイド穴（ガイド部）５３ｂ、および把持部５３ｃなどを有している。
【００７７】
押圧部５３ａは、左右両側に配置された回動板６４Ｒ・６４Ｌの第１端部６５ａの上方にそれぞれ位置するように、操作板５３の背面側から突出する円筒状の凸部を有するように形成されている。そして、操作板５３が下方に移動したときに、各押圧部５３ａは、回動板６４Ｒ・６４Ｌの第１端部６５ａを上方から下方へ押し下げる（図６（ａ）（ｂ）参照）。
【００７８】
ガイド穴５３ｂは、操作板５３の左右両側の端部付近に、上下方向に延びるように形成された穴である。各ガイド穴５３ｂには、前面カバー５２の凸部７２Ｒ・７２Ｌがそれぞれ嵌まり込む。これにより、操作板５３の上下方向の動きがガイド穴５３ｂの形状に沿って誘導される。図１２（ａ）から（ｃ）には、操作板５３が、前面カバー５２の操作板支持部７１内を上方から下方にスライド移動する様子を示す。図示するように、操作板５３に２つのガイド穴５３ｂが形成されていることで、操作板５３の上下方向のスライド動作のずれを小さくすることができる。
【００７９】
なお、本実施形態では、ガイド穴５３ｂおよび凸部７２Ｒ・７２Ｌは、２個ずつ形成されているが、本発明の一態様においては、ガイド穴５３ｂおよび凸部７２Ｒ・７２Ｌの個数は、各１個であってもよいし、各３個以上であってもよい。また、本発明の一態様においては、ガイド穴が前面カバーに形成され、凸部が操作板に形成されていてもよい。
【００８０】
把持部５３ｃは、使用者がダストボックス２２の取り付けおよび取り外しを行う際に、持ち手となる部分である。
【００８１】
ロック部材（係止部）６１Ｒ・６１Ｌは、操作板５３の上下方向のスライド移動に連動して、水平方向に移動する。ロック部材６１Ｒ・６１Ｌが水平方向に移動することにより、ダストボックス２２が室内機１（より具体的には、フィルタ支持体２５）に対して支持固定されている固定状態と、該固定状態が解除されている解除状態とが切り替わる。ここでは、前記固定状態のことを、ロック機構６０がＯＮ状態であると称し、前記解除状態のことをロック機構６０がＯＦＦ状態であると称する。
【００８２】
図１１（ａ）および図１１（ｂ）に示すように、ロック部材６１Ｒ・６１Ｌは、ロックピン６２、本体シャフト６６、回動板保持部６７、およびバネ収容部６８などを有している。ロックピン６２は、ロック機構６０の左右両側の端部に位置する。ダストボックス２２がフィルタ支持体２５に対して支持固定されている状態では、ロックピン６２は、フィルタ支持体２５の各壁部２６・２７・２８の何れかの孔に挿入されている。回動板保持部６７は、ロック機構６０の中央側（操作板５３側）の端部に位置する。回動板保持部６７は、回動板６４Ｒ・６４Ｌの第２端部６５ｂを保持する。回動板保持部６７とロックピン６２との間には、回動板保持部６７側から順に、本体シャフト６６、バネ収容部６８が位置する。ただし、本体シャフト６６およびバネ収容部６８の配置は入れ替わってもよい。バネ収容部６８には、コイルバネ６３が収容される（図５（ａ）など参照）。
【００８３】
なお、コイルバネ６３は、ロック部材６１Ｒ・６１Ｌを外側に向かって付勢している。そのため、使用者が操作板５３を下方に移動させない状態では、コイルバネ６３がロック部材６１Ｒ・６１Ｌを外側に向かって付勢し、先端のロックピン６２は、左右両側に突出する（図５（ａ）参照）。
【００８４】
回動板６４Ｒ・６４Ｌは、回動中心６４Ｐを中心として回動する。より具体的には、回動板６４Ｒ・６４Ｌは、その回動面（回動方向に沿った面）が、操作板５３の板面と略平行な位置関係で配置されている。そして、上下方向にスライド移動する操作板５３のスライド面に沿って、回動板６４Ｒ・６４Ｌは回動する。すなわち、操作板５３のスライド面と、回動板６４Ｒ・６４Ｌの回動面とは、略平行となっている。
【００８５】
図１０（ａ）および図１０（ｂ）に示すように、回動板６４Ｒ・６４Ｌは、第１端部６５ａ、第２端部６５ｂ、凸部（突起）６５ｃ、および孔（回動中心６４Ｐ）などを有している。第１端部６５ａは、操作板５３の押圧部５３ａの下方に配置される。第２端部６５ｂは、ロック部材６１Ｒ・６１Ｌの回動板保持部６７によって保持される。
【００８６】
第１端部６５ａおよび第２端部６５ｂは、回動中心６４Ｐを起点として、互いに９０度から１８０度の角度を有して異なる方向に突出している。本実施形態では、回動中心６４Ｐから第１端部６５ａまでの距離の方が、回動中心６４Ｐから第２端部６５ｂまでの距離より長い。そのため、回動板６４Ｒ・６４Ｌは、平面視で略「Ｌ」字の形状を有している。ただし、本発明では、回動板６４Ｒ・６４Ｌの形状はこれに限定はされない。
【００８７】
回動中心６４Ｐには、孔が形成されている。この孔には、本体部５１の回動軸７８が挿入される。これにより、回動板６４Ｒ・６４Ｌは、回動軸７８を起点として、例えば、矢印Ｒ１方向に回動する（図６（ｂ）参照）。
【００８８】
以上のように、回動板６４Ｒ・６４Ｌは、操作板５３とロック部材６１Ｒ・６１Ｌとの間に設けられる。そして、操作板５３のスライド動作を、ロック部材６１Ｒ・６１Ｌへ伝達する役割を果たす。これにより、操作板５３の上下方向のスライド移動（矢印Ｓ１）を、ロック部材６１Ｒ・６１Ｌの水平方向の移動（Ｓ２）に変更することができる（図６（ｂ）参照）。
【００８９】
また、回動板６４Ｒ・６４Ｌの両側の表面には、複数の凸部（突起）６５ｃが形成されている。これらの凸部６５ｃは、前面カバー５２の回動補助突起（突起）７３Ｒ・７３Ｌおよび７４Ｒ・７４Ｌ、あるいは、本体部５１の回動板ガイド部材７７ａ・７７ｂに対応する位置に形成されている。なお、回動補助突起（突起）７３Ｒ・７３Ｌおよび回動板ガイド部材７７ａは、回動板６４Ｒ・６４Ｌの第２端部６５ｂ側の回動軌跡に沿って（具体的には、第２端部６５ｂ側に設けられた凸部６５ｃの回動軌跡に対応する位置に）設けられている。また、回動補助突起（突起）７４Ｒ・７４Ｌおよび回動板ガイド部材７７ｂは、回動板６４Ｒ・６４Ｌの第１端部６５ａ側の回動軌跡に沿って（具体的には、第１端部６５ａ側に設けられた凸部６５ｃの回動軌跡に対応する位置に）設けられている。このような凸部６５ｃが形成されていることにより、回動板６４Ｒ・６４Ｌの回動動作をより円滑に行うことができる。
【００９０】
＜ロック機構の動作＞
続いて、ダストボックス２２の取り付けおよび取り外しを行う際のロック機構６０の動作について、図５および図６を参照しながら説明する。
【００９１】
図５（ａ）、および、図５（ａ）の破線枠内を拡大して示す図６（ａ）は、ロック機構６０がＯＮ状態の場合を示す。図に示すように、ＯＮ状態のときには、操作板５３は、より上方に位置するとともに、左右両側のロックピン６２は、本体部５１の左右両側の側壁からそれぞれ突出している。そして、各ロックピン６２は、フィルタ支持体２５の右側壁部２６および中央壁部２７（あるいは、中央壁部２７および左側壁部２８）に形成された孔内に嵌まり込んでいる。これにより、ダストボックス２２は、フィルタ支持体２５に対して支持固定される。
【００９２】
図５（ｂ）、および、図５（ｂ）の破線枠内を拡大して示す図６（ｂ）は、ロック機構６０がＯＦＦ状態の場合を示す。図に示すように、ＯＦＦ状態のときには、操作板５３は、より下方に位置するとともに、左右両側のロックピン６２は、本体部５１の左右両側の側壁の内側に入り込んでいる。これにより、ダストボックス２２は、フィルタ支持体２５との係合が外れる。したがって、使用者は、ロック機構６０をＯＦＦ状態とすることで、ダストボックス２２を室内機１から取り外すことができる。
【００９３】
つまり、ダストボックス２２がフィルタ支持体２５に取り付けられている状態では、ロック機構６０は、図５（ａ）に示すようにＯＮ状態となっている。そして、例えば、ダストボックス２２内の塵埃を捨てるために、使用者がダストボックス２２を取り外す際には、使用者は、ダストボックス２２の左右方向の中央部の上端部と下端部を手で挟み込む。このとき、例えば、使用者の親指が本体部５１の凹み５１ａを把持し、使用者の人差し指および中指が操作板５３の把持部５３ｃを把持する。すると、操作板５３には、使用者の人差し指および中指から下方に向かう力が加えられ、操作板５３は下方Ｓ１にスライド移動する（図６（ａ）（ｂ）参照）。
【００９４】
操作板５３が下方Ｓ１にスライド移動すると、押圧部５３ａは、回動板６４Ｒ・６４Ｌの第１端部６５ａを下方に押す。これにより、回動板６４Ｒ・６４Ｌは、回動中心６４Ｐを起点として、矢印Ｒ１方向に回動する（図６（ｂ）参照）。
【００９５】
回動板６４Ｒ・６４Ｌが矢印Ｒ１方向に回動すると、第２端部６５ｂは操作板５３へ近づく方向へ動く。この動きに連動して、第２端部６５ｂを保持しているロック部材６１Ｒ・６１Ｌの回動板保持部６７は、操作板５３側へ引き寄せられる。これにより、ロック部材６１Ｒ・６１Ｌは、操作板５３へ近づく方向（矢印Ｓ２方向）へ動く（図６（ｂ）参照）。
【００９６】
この矢印Ｓ２方向への力は、外側へ働くコイルバネ６３の付勢力よりも大きいため、図５（ｂ）に示すように、ロックピン６２は本体部５１の側壁の内側へ入り込む。これにより、ロック部材６１Ｒ・６１Ｌのフィルタ支持体２５に対する係合が解除され、ロック機構６０はＯＦＦ状態となる。そのため、使用者は、ダストボックス２２を取り外すことができる。
【００９７】
また、取り外したダストボックス２２を再度フィルタ支持体２５に取り付ける際には、使用者は、ダストボックス２２の左右方向の中央部の上端部と下端部を手で挟み込む。このとき、取り外し時と同様に、操作板５３には、使用者の人差し指および中指から下方に向かう力が加えられ、操作板５３は下方Ｓ１にスライド移動するため、ロック機構６０はＯＦＦ状態となる（図６（ｂ）参照）。この状態で、使用者は、フィルタ支持体２５のダストボックス収容部２９内の所定位置にはめ込むようにダストボックス２２を載置する。この時使用者は、意図せずにダストボックス２２の本体部５１の底面に形成された窪み（図示せず）が、ダストボックス収容部２９の底面板５４に設けられた爪部５４ｂに合致するように、ダストボックス２２の取り付けを行うことができる。
【００９８】
そして、使用者が、ダストボックス２２から手を離せば、外側へ働くコイルバネ６３の付勢力によって、ロック部材６１Ｒ・６１Ｌのロックピン６２は外側へとびだす。これにより、ロックピン６２は、フィルタ支持体２５の各壁部２６・２７・２８の孔へ挿入され、ロック機構６０はＯＮ状態となる。このとき、ロック部材６１Ｒ・６１Ｌ自体も外側（矢印Ｓ２とは反対の方向）へ移動する。そのため、取り外し時とは逆の作用により、操作板５３は、上方（矢印Ｓ１とは反対の方向）へスライド移動する。このような流れで、ダストボックス２２は、フィルタ支持体２５に取り付けられる。
【００９９】
以上のように、本実施形態にかかる空気調和機の室内機１は、上記構成のロック機構６０を備えていることで、操作板５３の把持部５３ｃを把持するという一度の動作で、ダストボックス２２の取り付けおよび取り外しを行うことができる。したがって、ダストボックスの取り付けおよび取り外し時に、取り付け動作およびロック操作という二段階の動作を行う必要のあった従来の構成と比較して、ダストボックスの着脱動作をより容易に行うことができる。
【０１００】
また、動作伝達機構として回動板６４Ｒ・６４Ｌを用いることで、操作板５３の上下方向のスライド動作を、ロック部材６１Ｒ・６１Ｌの水平方向の移動動作へ、無駄なく伝達させることができる。そのため、例えば、回動板６４Ｒ・６４Ｌと、操作板５３またはロック部材６１Ｒ・６１Ｌとの接続部分に、塵や細かなゴミなどが挟まった場合にも、動作の伝達を円滑に行うことができる。
【０１０１】
以上のように、本実施形態にかかる空気調和機は、上下方向にスライド移動する操作盤５３（操作部）と、操作板５３の上下方向のスライド移動によって固定状態と解除状態とが切り替わるロック部材６１Ｒ・６１Ｌ（係止部）とを有するロック機構６０を備えている。この構成によれば、ダストボックス２２（埃集積部）の着脱操作をより容易に行うことが可能となる。
【０１０２】
＜ブラシの線径とメッシュ径との関係について＞
続いて、本実施形態のフィルタ清掃装置２０における、前面ブラシ２３および背面ブラシ（補助ブラシ）２４のブラシ毛の線径と、フィルタ２１のメッシュサイズ（メッシュ径）との関係について、図１３（ａ）から（ｃ）を参照しながら説明する。図１３（ａ）には、フィルタ清掃装置２０を用いてフィルタ２１を清掃する様子を示す。具体的には、フィルタ清掃装置２０に備えられた前面ブラシ２３および背面ブラシ２４を用いて、フィルタ２１表面に付着した埃や塵Ｄをダストボックス２２内へ掻き落とす様子を示す。
【０１０３】
上述したように、フィルタ清掃装置２０の運転中、フィルタ２１は、駆動モータ２４Ｍによって駆動され、矢印Ｍ方向に移動する（図１３（ａ）参照）。このとき、前面ブラシ２３は、駆動モータ２３Ｍによって駆動され、矢印Ｒ１方向に回転する。また、フィルタ２１を間に挟んで前面ブラシ２３と対向するように配置された背面ブラシ２４も、駆動モータ２４Ｍによって駆動され、矢印Ｒ２方向に回転する。２つのブラシ２３・２４の間に配置されたフィルタ２１では、裏面側の背面ブラシ２４の作用によって、表面に付着している埃や塵などが、前方側へ押し出される。そのため、前面ブラシ２３によるフィルタ２１表面上での回転動作により、フィルタ２１上にある程度強力に付着している埃も掻き取ることができる。
【０１０４】
ところで、フィルタ２１表面上の埃Ｄなどを、より多く掻き落とすために、前面ブラシ２３を、異なる線径を有する複数種類のブラシ毛で構成することが提案されている。しかしながら、複数種類のブラシ毛を用いて前面ブラシを製造すると、製造コストが上昇してしまうという欠点がある。そのため、本実施形態では、１種類のブラシ毛を用いて前面ブラシ２３を構成した場合にも、フィルタ２１上の埃Ｄをより多く掻き落とせる手法について検討した。
【０１０５】
その結果、フィルタ２１のメッシュサイズ（メッシュ径）と、前面ブラシ２３のブラシ毛２３ａの線径との関係を次のように設定することが望ましいことが確認された。
フィルタ２１のメッシュ径ｄ１およびｄ２（図１３（ｂ）参照）：１５０μｍ以上３００μｍ以下
（ここで、ｄ１は、矩形状のメッシュ穴の一方の方向の内径であり、ｄ２は、矩形状のメッシュ穴の他方の方向の内径である。ｄ１とｄ２は、同一であってもよいし、異なっていてもよい。）
前面ブラシ２３のブラシ毛２３ａの線径ｄ３（図１３（ｃ）参照）：５０μｍ以上１００μｍ以下
【０１０６】
以上の構成によれば、フィルタ２１の表面上で前面ブラシ２３を回転させたときに、１つのメッシュ穴２１ａに、前面ブラシ２３のブラシ毛２３ａを約９本程度収容することができる。これにより、メッシュ穴２１ａにたまった埃Ｄを掻き出すことができる。また、ブラシ毛２３ａの線径ｄ３を５０μｍ以上とすることで、砂埃がブラシ毛に絡みつくことを抑えることができる。また、ブラシ毛２３ａの線径ｄ３を５０μｍ以上とすることで、ブラシ毛にある程度の弾性を持たせることができる。そのため、メッシュ穴２１ａから掻き出した埃Ｄをダストボックス２２内へ効率よく叩き落すことができる。
【０１０７】
なお、ブラシ毛２３ａの材料として、例えば、ナイロン、ポリプロピレン（ＰＰ）などを使用することができる。また、ブラシ毛２３ａの種類としては、例えば、ストレート糸、捲縮糸などを採用することができる。
【０１０８】
さらに、本実施形態のフィルタ清掃装置２０では、前面ブラシ２３を構成するブラシ毛２３ａの撚り数よりも、背面ブラシ２４を構成するブラシ毛の撚り数の方が多くなっていることが好ましい。ここで、ブラシ毛の撚り数とは、一束に含まれるブラシ毛の本数のことを意味する。なお、一束とは、前面ブラシ２３の基体（回転ローラ）上に植毛されるブラシ毛の一単位である。すなわち、ブラシ毛２３ａは、一束（撚り数）単位で基体上に埋め込まれる。なおこのとき、前面ブラシ２３および背面ブラシ２４は、同一の線径のブラシ毛で構成することが好ましい。
【０１０９】
例えば、前面ブラシ２３のブラシ毛２３ａの撚り数は、１０本以上３０本以下とすることができる。この場合、背面ブラシ２４のブラシ毛の撚り数は、１５本以上４０本以下とするのがよい。
【０１１０】
上記のような撚り数とすることで、前面ブラシ２３のブラシ毛２３ａがフィルタ２１のメッシュに入りにくい場合にも、撚り数の大きなブラシ毛を有する背面ブラシ２４で、表面側に埃Ｄを押し出すことができる。そのため、フィルタ２１表面上の埃Ｄを前面ブラシ２３でより容易に掻き落とすことができる。
【０１１１】
＜フィルタの端部の形状について＞
続いて、本実施形態のフィルタ清掃装置２０における、フィルタ２１の枠体（枠部）４２のより具体的な形状について、図１４（ａ）から図１４（ｅ）を参照しながら説明する。図１４（ａ）には、フィルタ２１の枠体４２の端部４２Ｔ部分を示す。ここで、端部４２Ｔは、フィルタ清掃装置２０の運転中におけるフィルタ２１の移動方向（進行方向）Ｍの両側に位置する端部である。言い換えると、端部４２Ｔは、フィルタ２１の移動方向Ｍと交差する方向に延びる（長手方向を有する）枠体４２の一部分（横枠）である。
【０１１２】
図１４（ａ）に示すように、フィルタ２１の枠体４２の端部４２Ｔには、移動方向Ｍと直行する左右方向の両端部に、切欠き４５が形成されている。フィルタ２１の清掃時において、フィルタ２１が図１３（ａ）に示す矢印Ｍに沿って進行するとき、フィルタ２１は、背面ブラシ２４の設置位置において進行方向を変える。つまり、フィルタ２１は、背面ブラシ２４との接触面において湾曲する。このとき、フィルタ２１の端部４２Ｔは、メッシュ部４１と比較して肉厚となっているため、曲がりにくい。そのため、フィルタ２１の進行を妨げたり、フィルタ２１の枠体４２の端部４２Ｔと背面ブラシ２４の端部に設けられたガイド部品との間で摩擦が生じて、異音が発生したりすることがある。
【０１１３】
しかし、フィルタ２１の端部４２Ｔに切欠き４５が形成されていることで、フィルタ２１の端部４２Ｔにおける左右方向の両端部が曲がりやすくなる。そのため、フィルタ２１の進行をスムーズにすることができる。
【０１１４】
なお、切欠き４５と同様の効果を得るために、図１４（ｂ）に示すように、フィルタ１２１の端部４２Ｔに、スリット１４６を形成することもできる。スリット１４６は、フィルタ１２１の端部４２Ｔの左右方向（端部４２Ｔの長手方向）の略全域にわたって形成されている。
【０１１５】
さらに、図１４（ｃ）には、図１４（ｂ）に示すフィルタ１２１の変形例を示す。図１４（ｃ）に示すフィルタ２２１には、その端部４２Ｔに、複数のスリット２４６が形成されている。複数のスリット２４６は、メッシュ部４１の配置に合わせるように、複数個形成されている。このようなスリット２４６が形成されていることで、フィルタ２１の進行時に、フィルタ２１の端部４２Ｔを曲げやすくすることができる。
【０１１６】
また、図１４（ｄ）には、さらなる変形例にかかるフィルタ３２１の端部４２Ｔの構成を示す。フィルタ３２１の端部４２Ｔには、切欠き４５と同様の効果を得るために、薄肉部３４７が形成されている。薄肉部３４７は、例えば、フィルタ３２１の端部４２Ｔの裏面を抉って形成することができる。図１４（ｅ）には、図１４（ｄ）に示すフィルタ３２１のＡ−Ａ線部分の断面構成を示す。図１４（ｅ）に示すように、薄肉部３４７は、フィルタ３２１の端部４２Ｔの他の部分と比較して、その厚みが小さくなっている。これにより、フィルタ２１の進行時に、フィルタ２１の端部４２Ｔを曲げやすくすることができる。
【０１１７】
〔第２の実施形態〕
本発明の第２の実施形態について、図１５から図１８を参照しながら説明する。第２の実施形態では、空気調和機の室内機１内のフィルタ清掃装置２０に備えられたダストボックスのロック機構の構成が、第１の実施形態とは異なっている。それ以外の構成については、第１の実施形態と同じ構成が適用できる。そこで、以下では、第２の実施形態にかかるフィルタ清掃装置２０のロック機構１６０の構成を中心に説明する。第１の実施形態と同じ構成が適用できる構成部材については、第１の実施形態と同じ符号を付し、その説明を省略する。
【０１１８】
図１５には、第２の実施形態にかかる室内機１に備えられているフィルタ２１およびフィルタ清掃装置２０の構成を示す。図１５に示すように、フィルタ清掃装置２０は、主として、フィルタ２１の前面側に配置されている。フィルタ２１の構成については、第１の実施形態と同様の構成が適用できる。
【０１１９】
＜フィルタ清掃装置について＞
フィルタ清掃装置２０は、主な構成部材として、ダストボックス１２２（埃集積部）、前面ブラシ（ブラシ）２３、背面ブラシ（補助ブラシ）２４、およびフィルタ支持体２５を備えている。ダストボックス１２２以外の構成部材については、第１の実施形態と同様の構成が適用できる。
【０１２０】
ダストボックス１２２は、主な構成部材として、本体部５１、前面カバー５２、およびロック機構１６０（操作レバー１５３を含む）などを備えている。ダストボックス１２２は、前面ブラシ２３によってフィルタ２１表面から拭き取られた埃、塵、ゴミなどを、その内部に集積させる。本実施形態の室内機１には、右側のフィルタ２１Ｒと左側のフィルタ２１Ｌのそれぞれに対して、ダストボックス１２２が１個ずつ設けられている。なお、左右のダストボックスを区別して称する場合には、右側ダストボックスを１２２Ｒとし、左側ダストボックスを１２２Ｌと呼ぶ（図１５参照）。本体部５１および前面カバー５２は、第１の実施形態と同様の構成が適用できる。
【０１２１】
以下には、図１６から図１８を参照しながら、ロック機構１６０の構成について説明する。図１６（ａ）および図１６（ｂ）には、前面カバー５２を取り外した状態の本体部５１の構成を示す。図１６（ａ）は、ダストボックス１２２がフィルタ支持体２５に対して固定されている固定状態のときのロック機構１６０を示す。また、図１６（ｂ）は、固定状態が解除されている解除状態（すなわち、ダストボックス１２２をフィルタ支持体２５から取り外すときの状態）のときのロック機構１６０を示す。図１６（ａ）に示すように、ロック機構１６０は、ダストボックス２２を構成する本体部５１の上方部分であって、前面カバー５２の背面側に配置されている。
【０１２２】
ロック機構１６０は、主な構成部材として、操作レバー（操作部）１５３、ロック部材（係止部）１６１Ｒ・１６１Ｌ、およびコイルバネ１６６などを備えている。図１８（ａ）には、操作レバー１５３と、左側のロック部材１６１Ｌとが連結された状態を示す。図１８（ｂ）には、操作レバー１５３のみを示す。図１８（ｃ）には、左側のロック部材１６１Ｌのみを示す。
【０１２３】
操作レバー１５３は、例えば、矢印Ｒ１方向に回動する（図１６（ａ）参照）。図１８（ｂ）に示すように、操作レバー１５３は、把持部１５３ａ、回動軸１５３ｂ、右側の連結部１７１Ｒ、および左側の連結部１７１Ｌを有している。把持部１５３ａは、ダストボックス１２２の取り外しおよび取り付けを行う際に、使用者の手が添えられる部分である。把持部１５３ａは、回動軸１５３ｂを中心に回動する。
【０１２４】
回動軸１５３ｂは、左右方向に延びる棒状の部材であって、本体部５１に回転可能に取り付けられる。回動軸１５３ｂの右端には連結部１７１Ｒが形成され、回動軸１５３ｂの左端には連結部１７１Ｌが形成されている。連結部１７１Ｒは、右側のロック部材１６１Ｒと接続される。連結部１７１Ｌは、左側のロック部材１６１Ｌと接続される。なお、各連結部１７１Ｒ・１７１Ｌには、操作レバー１５３の回動方向に対してらせん状に傾斜した傾斜端部１７２が形成されている。また、各連結部１７１Ｒ・１７１Ｌには、傾斜端部１７２の傾斜に沿って、スライド穴１７３が形成されている。
【０１２５】
ロック部材１６１Ｒ・１６１Ｌは、操作レバー１５３の回動動作に連動して、水平方向（例えば、矢印Ｓ１方向）に移動する。ロック部材１６１Ｒ・１６１Ｌが水平方向に移動することにより、ダストボックス１２２が室内機１（より具体的には、フィルタ支持体２５）に対して支持固定されている固定状態と、該固定状態が解除されている解除状態とが切り替わる。ここでは、前記固定状態のことを、ロック機構１６０がＯＮ状態であると称し、前記解除状態のことをロック機構１６０がＯＦＦ状態であると称する。
【０１２６】
図１８（ｃ）に示すように、ロック部材１６１Ｌは、ロックピン１６２、本体シャフト１６３、バネ収容部１６４、および連結部１６５などを有している。ロック部材１６１Ｒは、ロック部材１６１Ｌと左右対称の構成を有している。
【０１２７】
ロックピン１６２は、ロック機構１６０の左右両側の端部に位置する。ダストボックス１２２がフィルタ支持体２５に対して支持固定されている状態では、ロックピン１６２は、フィルタ支持体２５の各壁部２６・２７・２８の何れかの孔に挿入されている。
【０１２８】
連結部１６５は、ロック機構１６０の中央側（操作レバー１５３側）の端部に位置する。ロック部材１６１Ｒの連結部１６５は、操作レバー１５３の連結部１７１Ｒとの連結部分を構成する。ロック部材１６１Ｌの連結部１６５は、操作レバー１５３の連結部１７１Ｌとの連結部分を構成する。連結部１６５には、突起１６５ａが形成されている。この突起１６５ａは、操作レバー１５３の連結部１７１Ｒ・１７１Ｌに形成されたスライド穴１７３に嵌め込まれる（図１８（ａ）参照）。
【０１２９】
連結部１６５とロックピン１６２との間には、連結部１６５側から順に、本体シャフト１６３、およびバネ収容部１６４が位置する。ただし、本体シャフト１６３およびバネ収容部１６４の配置は入れ替わってもよい。バネ収容部１６４には、コイルバネ１６６が収容される（図１６（ａ）など参照）。
【０１３０】
なお、コイルバネ１６６は、ロック部材１６１Ｒ・１６１Ｌを外側に向かって付勢している。そのため、使用者が操作レバー１５３を下方に回動させない状態では、コイルバネ１６６がロック部材１６１Ｒ・１６１Ｌを外側に向かって付勢し、先端のロックピン１６２は、左右両側に突出する（図１６（ａ）参照）。
【０１３１】
＜ロック機構の動作＞
続いて、ダストボックス１２２の取り付けおよび取り外しを行う際のロック機構１６０の動作について、図１６および図１７を参照しながら説明する。
【０１３２】
図１６（ａ）、および、図１６（ａ）の破線枠内を拡大して示す図１７（ａ）は、ロック機構１６０がＯＮ状態の場合を示す。図に示すように、ＯＮ状態のときには、操作レバー１５３の把持部１５３ａは、回動軸１５３ｂに対して斜め上方に位置するとともに、左右両側のロックピン１６２は、本体部５１の左右両側の側壁からそれぞれ突出している。そして、各ロックピン１６２は、フィルタ支持体２５の右側壁部２６および中央壁部２７（あるいは、中央壁部２７および左側壁部２８）に形成された孔内に嵌まり込んでいる。これにより、ダストボックス１２２は、フィルタ支持体２５に対して支持固定される。
【０１３３】
図１６（ｂ）、および、図１６（ｂ）の破線枠内を拡大して示す図１７（ｂ）は、ロック機構１６０がＯＦＦ状態の場合を示す。図に示すように、ＯＦＦ状態のときには、操作レバー１５３は、回動軸１５３ｂと同じ高さに位置する（前方へ突出している）とともに、左右両側のロックピン１６２は、本体部５１の左右両側の側壁の内側に入り込んでいる。これにより、ダストボックス１２２は、フィルタ支持体２５との係合が外れる。したがって、使用者は、ロック機構１６０をＯＦＦ状態とすることで、ダストボックス２２を室内機１から取り外すことができる。
【０１３４】
つまり、ダストボックス１２２がフィルタ支持体２５に取り付けられている状態では、ロック機構１６０は、図１６（ａ）に示すようにＯＮ状態となっている。そして、例えば、ダストボックス１２２内の塵埃を捨てるために、使用者がダストボックス１２２を取り外す際には、使用者は、ダストボックス１２２の左右方向の中央部の上端部と下端部を手で挟み込む。このとき、例えば、使用者の親指が本体部５１の凹み５１ａを把持し、使用者の人差し指および中指が操作レバー１５３の把持部１５３ａを把持する。すると、把持部１５３ａには、使用者の人差し指および中指から下方に向かう力が加えられ、操作レバー１５３は、回動軸１５３ｂを起点として矢印Ｒ１方向に回動する（図１６（ａ）（ｂ）参照）。
【０１３５】
操作レバー１５３が矢印Ｒ１方向に回動すると、左右両端の連結部１７１Ｒ・１７１Ｌに形成された傾斜端部１７２も回動軸１５３ｂの回転に合わせて回転する。これにより、スライド穴１７３に嵌め込まれているロック部材１６１Ｒ・１６１Ｌの突起１６５ａは、操作レバー１５３の回動方向に対してらせん状に傾斜した傾斜端部１７２上を滑りながら、スライド穴１７３内を矢印Ｓ１方向に水平移動する（図１６（ａ）、図１７（ｂ）など参照）。すなわち、ロック部材１６１Ｒ・１６１Ｌは、傾斜端部１７２の形状に合わせて操作レバー１５３との相対位置を変更する。これにより、ロック部材１６１Ｒ・１６１Ｌは、操作レバー１５３へ近づく方向（矢印Ｓ２方向）へ動く。そして、図１７（ｂ）に示すように、最終的には、ロック部材１６１Ｒ・１６１Ｌの連結部１６５内に操作レバー１５３の連結部１７１Ｌ（または１７１Ｒ）が収容された状態となる。
【０１３６】
これにより、ロック部材１６１Ｒ・１６１Ｌのフィルタ支持体２５に対する係合が解除され、ロック機構１６０はＯＦＦ状態となる。そのため、使用者は、ダストボックス１２２を取り外すことができる。
【０１３７】
また、取り外したダストボックス２２を再度フィルタ支持体２５に取り付ける際には、使用者は、ダストボックス１２２の左右方向の中央部の上端部と下端部を手で挟み込む。このとき、取り外し時と同様に、操作レバー１５３の把持部１５３ａには、使用者の人差し指および中指から下方に向かう力が加えられ、操作レバー１５３は矢印Ｒ１方向に回動するため、ロック機構１６０はＯＦＦ状態となる（図１６（ｂ）参照）。この状態で、使用者は、フィルタ支持体２５のダストボックス収容部２９内の所定位置にはめ込むようにダストボックス１２２を載置する。この時使用者は、意図せずにダストボックス１２２の本体部５１の底面に形成された窪み（図示せず）が、ダストボックス収容部２９の底面板５４に設けられた爪部５４ｂに合致するように、ダストボックス２２の取り付けを行うことができる。
【０１３８】
そして、使用者が、ダストボックス１２２から手を離せば、外側へ働くコイルバネ１６６の付勢力によって、ロック部材１６１Ｒ・１６１Ｌのロックピン１６２は外側へとびだす。これにより、ロックピン１６２は、フィルタ支持体２５の各壁部２６・２７・２８の孔へ挿入され、ロック機構１６０はＯＮ状態となる。このとき、ロック部材１６１Ｒ・１６１Ｌ自体も外側（矢印Ｓ１とは反対の方向）へ移動する。そのため、取り外し時とは逆の作用により、操作レバー１５３は、上方（矢印Ｒ１とは反対の方向）へ回動する。このような流れで、ダストボックス１２２は、フィルタ支持体２５に取り付けられる。
【０１３９】
以上のように、本実施形態にかかる空気調和機の室内機１は、上記構成のロック機構１６０を備えていることで、操作レバー１５３の把持部１５３ａを把持するという一度の動作で、ダストボックス１２２の取り付けおよび取り外しを行うことができる。したがって、ダストボックスの取り付けおよび取り外し時に、取り付け動作およびロック操作という二段階の動作を行う必要のあった従来の構成と比較して、ダストボックスの着脱動作をより容易に行うことができる。
【０１４０】
また、本実施形態にかかるロック機構１６０では、操作レバー１５３の左右両側に傾斜端部１７２を形成し、傾斜端部１７２を回動させることで、傾斜端部１７２上におけるロック部材１６１Ｒ・１６１Ｌの突起１６５ａの位置を変更させている。これにより、操作レバー１５３の回動動作による力を、より効率的にロック部材１６１Ｒ・１６１Ｌの水平方向の移動動作へ伝達することができる。
【０１４１】
〔第３の実施形態〕
本発明の第３の実施形態について、図４、図１９および図２０を参照しながら説明する。第３の実施形態では、空気調和機の室内機１内のフィルタ清掃装置２０に備えられたダストボックスのロック機構の構成が、第１の実施形態とは異なっている。それ以外の構成については、第１の実施形態と同じ構成が適用できる。そこで、以下では、第３の実施形態にかかるフィルタ清掃装置２０のロック機構２６０の構成を中心に説明する。第１の実施形態と同じ構成が適用できる構成部材については、第１の実施形態と同じ符号を付し、その説明を省略する。
【０１４２】
図４には、第３の実施形態にかかる室内機１に備えられているフィルタ２１およびフィルタ清掃装置２０の構成を示す。フィルタ清掃装置２０は、主な構成部材として、ダストボックス２２、前面ブラシ（ブラシ）２３、背面ブラシ（補助ブラシ）２４、およびフィルタ支持体２５を備えている。フィルタ２１およびフィルタ清掃装置２０の概略構成については、第１の実施形態と同様の構成が適用できるため、詳しい説明を省略する。
【０１４３】
＜ダストボックスおよびロック機構の構成＞
続いて、ダストボックス２２のより具体的な構成、および、ダストボックス２２をフィルタ支持体２５に対して固定するためのロック機構２６０の構成について、以下に説明する。
【０１４４】
図４に示すように、ダストボックス２２は、主な構成部材として、本体部５１、前面カバー２５２、およびロック機構２６０（操作板２５３を含む）などを備えている。ダストボックス２２は、前面ブラシ２３によってフィルタ２１表面から拭き取られた埃、塵、ゴミなどを、その内部に集積させる。本体部５１については、第１の実施形態と同様の構成が適用できるため、詳しい説明を省略する。
【０１４５】
図１９には、前面カバー２５２の裏面側の構成を示す。前面カバー５２は、ダストボックス２２の前面側の上方部に取り付けられている。前面カバー５２の裏側には、ロック機構２６０が配置されている。
【０１４６】
ロック機構２６０は、ダストボックス２２を室内機１に対して固定させるための機構である。本実施形態では、ロック機構２６０は、室内機１内に固定した状態で取り付けられているフィルタ支持体２５に対してダストボックス２２を固定させる。
【０１４７】
前面カバー５２の裏面側には、操作板支持部、凸部（ガイド部）２７２Ｒ・２７２Ｌ、回動補助突起（突起）、およびバネ支持部２７５Ｒ・２７５Ｌなどが形成されている。操作板支持部および回動補助突起は、第１の実施形態と同様の構成が適用できるため、詳しい説明を省略する。凸部２７２Ｒ・２７２Ｌは、操作板２５３の配置位置（より具体的には、操作板２５３のガイド穴２５３ｂ）に合わせて形成されている。２つの凸部２７２Ｒ・２７２Ｌは、左右方向に並んで配置されている。バネ支持部２７５Ｒ・２７５Ｌは、スライド移動する操作板２５３の配置位置の下方に配置されている。第３の実施形態にかかるロック機構２６０では、バネ支持部２７５Ｒと、凸部２７２Ｒとによって、右側のコイルバネ２６３Ｒが保持され、バネ支持部２７５Ｌと、凸部２７２Ｌとによって、左側のコイルバネ２６３Ｌが保持される。
【０１４８】
ロック機構２６０は、ダストボックス２２を構成する本体部５１の上方部分であって、前面カバー２５２の背面側に配置されている。図１９は、ダストボックス２２がフィルタ支持体２５に対して固定されている固定状態のときのロック機構２６０を示す。また、図２０は、固定状態が解除されている解除状態（すなわち、ダストボックス２２をフィルタ支持体２５から取り外すときの状態）のときのロック機構２６０を示す。
【０１４９】
ロック機構２６０は、主な構成部材として、操作板２５３、ロック部材（係止部）２６１Ｒ・２６１Ｌ、回動板（動作伝達機構）２６４Ｒ・２６４Ｌ、およびコイルバネ２６３Ｒ・２６３Ｌなどを備えている。
【０１５０】
操作板２５３は、上下方向（例えば、図２０に示す矢印Ｓ１方向）にスライド移動する。操作板５３は、回動板２６４Ｒ・２６４Ｌとの連結部２５３ａ、ガイド穴（ガイド部）２５３ｂ、および把持部２５３ｃなどを有している。
【０１５１】
各連結部２５３ａは、回動板２６４Ｒ・２６４Ｌと連結されている。各連結部２５３ａは、左右両側に配置された回動板２６４Ｒ・２６４Ｌの一方の端部に形成されたガイド穴２６４ａにそれぞれ嵌まり込むように形成されている。そして、操作板２５３が下方に移動したときに、各連結部２５３ａは、ガイド穴２６４ａ内を移動しつつ、回動板２６４Ｒ・２６４Ｌを矢印Ｒ１方向に回動させる（図２０参照）。
【０１５２】
ガイド穴２５３ｂは、操作板２５３の左右両側の端部付近に、上下方向に延びるように形成された穴である。各ガイド穴２５３ｂには、前面カバー２５２の凸部２７２Ｒ・２７２Ｌがそれぞれ嵌まり込む。これにより、操作板２５３の上下方向の動きがガイド穴２５３ｂの形状に沿って誘導される。操作板２５３に２つのガイド穴２５３ｂが形成されていることで、操作板２５３の上下方向のスライド動作のずれを小さくすることができる。
【０１５３】
把持部２５３ｃは、使用者がダストボックス２２の取り付けおよび取り外しを行う際に、持ち手となる部分である。
【０１５４】
ロック部材（係止部）２６１Ｒ・２６１Ｌは、操作板２５３の上下方向のスライド移動に連動して、水平方向（例えば、図２０の矢印Ｓ２方向）に移動する。ロック部材２６１Ｒ・２６１Ｌが水平方向に移動することにより、ダストボックス２２が室内機１（より具体的には、フィルタ支持体２５）に対して支持固定されている固定状態と、該固定状態が解除されている解除状態とが切り替わる。ここでは、前記固定状態のことを、ロック機構２６０がＯＮ状態であると称し、前記解除状態のことをロック機構２６０がＯＦＦ状態であると称する。
【０１５５】
ロック部材２６１Ｒ・２６１Ｌは、棒状の部材であり、本体シャフトの両端に、ロックピン２６２および連結部２６７を有している。ロックピン２６２は、ロック機構２６０の左右両側の端部に位置する。ダストボックス２２がフィルタ支持体２５に対して支持固定されている状態では、ロックピン２６２は、フィルタ支持体２５の各壁部２６・２７・２８の何れかの孔に挿入されている。連結部２６７は、ロック機構２６０の内側（すなわち、操作板２５３側）の端部に位置する。連結部２６７は、回動板２６４Ｒ・２６４Ｌと連結されている。より具体的には、連結部２６７は、回動板２６４Ｒ・２６４Ｌのガイド穴２６４ａが形成されている端部とは異なる端部（他方の端部）と連結されている。なお、連結部２６７は、回動板２６４Ｒ・２６４Ｌがロック部材２６１Ｒ・２６１Ｌの端部を起点として回動可能となるように、回動板２６４Ｒ・２６４Ｌと接続されている。
【０１５６】
回動板２６４Ｒ・２６４Ｌは、操作板５３の板面と略平行な位置関係となる回動面を有して、回動する。すなわち、回動板６４Ｒ・６４Ｌは、上下方向にスライド移動する操作板２５３のスライド面に沿って回動する。
【０１５７】
回動板２６４Ｒ・２６４Ｌは、平面視で略「Ｌ」字の形状を有している。そして、「Ｌ」字形状の一方の端部が、操作板２５３の連結部２５３ａと連結され、「Ｌ」字形状の他方の端部が、ロック部材２６１Ｒ・２６１Ｌの連結部２６７と連結される。上記一方の端部には、ガイド穴２６４ａが形成されている。
【０１５８】
以上のように、回動板２６４Ｒ・２６４Ｌは、操作板２５３とロック部材２６１Ｒ・２６１Ｌとの間に設けられる。そして、操作板２５３のスライド動作で発生した力を、ロック部材２６１Ｒ・２６１Ｌへ伝達する役割を果たす。これにより、操作板２５３の上下方向のスライド移動（矢印Ｓ１）を、ロック部材２６１Ｒ・２６１Ｌの水平方向の移動（Ｓ２）に変更することができる（図２０参照）。
【０１５９】
コイルバネ２６３Ｒ・２６３Ｌは、上方の端部が凸部２７２Ｒ・２７２Ｌと接続され、下方の端部がバネ支持部２７５Ｒ・２７５Ｒと接続されている。コイルバネ２６３Ｒ・２６３Ｌは、操作板２５３を上方に向かって付勢している。そのため、使用者が操作板２５３を下方に押し下げない状態では、コイルバネ２６３Ｒ・２６３Ｌが操作板２５３を上方（矢印Ｓ１と反対の方向）に向かって付勢するとともに、回動板２６４Ｒ・２６４Ｌを矢印Ｒ１とは反対の方向に向かって付勢する。これにより、ロック部材２６１Ｒ・２６１Ｌには、外側（矢印Ｓ２とは反対の方向）へ向かう力が働き、先端のロックピン２６２は、左右両側に突出する。
【０１６０】
＜ロック機構の動作＞
続いて、ダストボックス２２の取り付けおよび取り外しを行う際のロック機構２６０の動作について、図１９および図２０を参照しながら説明する。
【０１６１】
図１９は、ロック機構２６０がＯＮ状態の場合を示す。ロック機構２６０がＯＮ状態のときには、操作板２５３は、より上方に位置するとともに、左右両側のロックピン２６２は、本体部５１の左右両側の側壁からそれぞれ突出している。これにより、ダストボックス２２は、フィルタ支持体２５に対して支持固定される。
【０１６２】
図２０は、ロック機構６０がＯＦＦ状態の場合を示す。ロック機構２６０がＯＦＦ状態のときには、操作板２５３は、より下方に位置するとともに、左右両側のロックピン２６２は、本体部５１の左右両側の側壁の内側に入り込んでいる。これにより、ダストボックス２２は、フィルタ支持体２５との係合が外れる。したがって、使用者は、ロック機構２６０をＯＦＦ状態とすることで、ダストボックス２２を室内機１から取り外すことができる。
【０１６３】
ダストボックス２２が室内機１に取り付けられている状態では、ロック機構２６０はＯＮ状態となっている。そして、例えば、ダストボックス２２内の塵埃を捨てるために、使用者がダストボックス２２を取り外す際には、使用者は、ダストボックス２２の左右方向の中央部の上端部と下端部を手で挟み込む。このとき、例えば、使用者の親指が本体部５１の凹み５１ａを把持し、使用者の人差し指および中指が操作板２５３の把持部２５３ｃを把持する。すると、操作板２５３には、使用者の人差し指および中指から下方に向かう力が加えられ、操作板２５３は下方Ｓ１にスライド移動する（図２０参照）。
【０１６４】
操作板２５３が下方Ｓ１にスライド移動すると、回動板２６４Ｒ・２６４Ｌは、回動中心２６４Ｐを起点として、矢印Ｒ１方向に回動する（図２０参照）。回動板２６４Ｒ・２６４Ｌが矢印Ｒ１方向に回動すると、ロック部材２６１Ｒ・２６１Ｌは、操作板２５３へ近づく方向（矢印Ｓ２方向）へ動く（図２０参照）。
【０１６５】
この矢印Ｓ２方向への力は、外側へ働くコイルバネ２６３Ｒ・２６３Ｌの付勢力よりも大きいため、ロックピン６２は本体部５１の側壁の内側へ入り込む。これにより、ロック部材２６１Ｒ・２６１Ｌのフィルタ支持体２５に対する係合が解除され、ロック機構２６０はＯＦＦ状態となる。そのため、使用者は、ダストボックス２２を取り外すことができる。
【０１６６】
また、取り外したダストボックス２２を再度フィルタ支持体２５に取り付ける際には、使用者はダストボックス２２を把持した状態（すなわち、ＯＦＦ状態）で、フィルタ支持体２５のダストボックス収容部２９内の所定位置にはめ込むようにダストボックス２２を載置する。この時使用者は、意図せずにダストボックス１２２の本体部５１の底面に形成された窪み（図示せず）が、ダストボックス収容部２９の底面板５４に設けられた爪部５４ｂに合致するように、ダストボックス２２の取り付けを行うことができる。そして、使用者が、ダストボックス２２から手を離せば、コイルバネ２６３Ｒ・２６３Ｌの付勢力によってロックピン２６２は外側へ押し出され、ロック機構２６０はＯＮ状態となる。
【０１６７】
以上のように、本実施形態にかかる空気調和機の室内機１は、上記構成のロック機構６０を備えていることで、操作板２５３を把持するという一度の動作で、ダストボックス２２の取り付けおよび取り外しを行うことができる。
【０１６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１６９】
１        ：（空気調和機の）室内機
２０      ：フィルタ清掃装置
２１      ：フィルタ
２２      ：ダストボックス（埃集積部）
２３      ：前面ブラシ（ブラシ）
２４      ：背面ブラシ（補助ブラシ）
４２      ：（フィルタの）枠体（枠部）
４５      ：切欠き
５３      ：操作板（操作部）
５３ｂ    ：ガイド穴（ガイド部）
６０      ：ロック機構
６１Ｒ    ：（右側の）ロック部材（係止部）
６１Ｌ    ：（左側の）ロック部材（係止部）
６４Ｒ    ：（右側の）回動板（動作伝達機構）
６４Ｌ    ：（左側の）回動板（動作伝達機構）
６５ｃ    ：凸部（突起）
７２Ｒ    ：凸部（ガイド部材）
７２Ｌ    ：凸部（ガイド部材）
１２２    ：ダストボックス（埃集積部）
１５３    ：操作レバー（操作部）
１６１Ｒ  ：（右側の）ロック部材（係止部）
１６１Ｌ  ：（左側の）ロック部材（係止部）
１７２    ：傾斜端部
１６０    ：ロック機構
２５３    ：操作板（操作部）
２６０    ：ロック機構
２６１Ｒ  ：（右側の）ロック部材（係止部）
２６１Ｌ  ：（左側の）ロック部材（係止部）
３４７    ：薄肉部
ｄ１      ：メッシュ径（一方の方向の内径）
ｄ２      ：メッシュ径（他方の方向の内径）
ｄ３      ：（ブラシ毛の）線径
【図１】
2018031561.tif 000003
【図２】
2018031561.tif 000004
【図３】
2018031561.tif 000005
【図４】
2018031561.tif 000006
【図５】
2018031561.tif 000007
【図６】
2018031561.tif 000008
【図７】
2018031561.tif 000009
【図８】
2018031561.tif 000010
【図９】
2018031561.tif 000011
【図１０】
2018031561.tif 000012
【図１１】
2018031561.tif 000013
【図１２】
2018031561.tif 000014
【図１３】
2018031561.tif 000015
【図１４】
2018031561.tif 000016
【図１５】
2018031561.tif 000017
【図１６】
2018031561.tif 000018
【図１７】
2018031561.tif 000019
【図１８】
2018031561.tif 000020
【図１９】
2018031561.tif 000021
【図２０】
2018031561.tif 000022